(57)【要約】      （修正有）【課題】詰替え式コンパクト容器として、詰替え作業を容易に行うことができる本容器及び詰替え容器の組み合わせによる多段容器を提供する。【解決手段】本容器４４は、底壁４８の周端部から外周壁５６を起立させた容器体４６と、この容器体内に嵌合された有底筒状の内容物収納皿４Ｆとを有し、前記容器体の底壁に底穴５０を開口するとともに、当該容器体内に嵌合された内容物収納皿の底板６から、前記底穴内へ突入する係合突片１２を垂設させ、この係合突片を、下方からの突き上げにより解離可能に前記底穴の穴周面５２に係止させている。前記詰替え容器は、前記内容物収納皿と同一の構造を有する交換用皿と、この交換用皿の上面を塞ぐ蓋体とを有し、この蓋体の上面から前記底穴内へ挿入可能な押圧用ボスを立設している。【選択図】図３
2020103739.tif 000002
【特許請求の範囲】
【請求項１】
本容器及び本容器への内容物の詰替え作業のための詰替え容器の組み合わせであって、
前記本容器(４４)は、底壁(４８)の周端部から外周壁(５６)を起立させた容器体(４６)と、この容器体(４６)内に嵌合された有底筒状の内容物収納皿(４Ｆ)とを有し、前記容器体(４６)の底壁(４８)に底穴(５０)を開口するとともに、当該容器体(４６)内に嵌合された内容物収納皿(４Ｆ)の底板(６)から、前記底穴(５０)内へ突入する係合突片(１２)を垂設させ、この係合突片(１２)を、下方からの突き上げにより解離可能に前記底穴(５０)の穴周面(５２)に係止させており、
前記詰替え容器(２)は、前記内容物収納皿(４Ｆ)と同一の構造を有する交換用皿(４Ｅ)と、この交換用皿(４Ｅ)の上面を塞ぐ蓋体(１６)とを有し、この蓋体(１６)の上面から前記底穴(５０)内へ挿入可能な押圧用ボス(２４)を立設したことを特徴とする、本容器及び詰替え容器の組み合わせ。
【請求項２】
前記係合突片(１２)を、前記底穴(５０)の穴周面(５２)に沿うように内容物収納皿(４Ｆ)の底板(６)に配置された複数の係止爪(１２ａ)で形成するとともに、
これら係止爪(１２ａ)の上部の側外面と底穴(５０)の穴周面(５２)とに相互にかみ合う抜止め突条(１４、５４)を設け、
前記押圧用ボス(２４)の上端部に、前記底穴(５０)への押圧用ボス(２４)の挿入により、前記複数の係止爪(１２ａ)を内方へ押し込むことが可能な押圧面(Ｐ)を有することを特徴とする、請求項１に記載の本容器及び詰替え容器の組み合わせ。
【請求項３】
前記蓋体(１６)は、前記交換用皿(４Ｅ)の開口面(８ａ)を覆う蓋板(１８)を有し、この蓋板(１８)の上面から前記押圧用ボス(２４)を上方へ突設させ、かつ、前記蓋板(１８)の周縁の少なくとも1カ所から折曲げ線(２８)を介して下面に当接用垂片(３４)を有する摘み板部(３２)を側外方へ突設させ、
前記容器体(４６)は、前記外周壁(５６)の上部に被当接面(Ｇ)を有しており、
前記当接用垂片(３４)は、前記内容物収納皿(４Ｆ)に替えて前記容器体(４６)内に詰替え容器(２)の交換用皿(４Ｅ)を嵌挿したときに、前記係合突片(１２)が前記被当接面(Ｇ)に当接することにより、前記摘み板部(３２)を押し上げることが可能な垂下長を有することを特徴とする、請求項１又は請求項２に記載の本容器及び詰替え容器の組み合わせ。
【請求項４】
内容物を収納させた有底筒状の交換用皿(４Ｅ)と、この交換用皿(４Ｅ)の開口面(８ａ)を塞ぐ蓋体(１６)とを有する詰替え容器であって、
前記蓋体(１６)の上面から、上端側に押圧面(Ｐ)を有する押圧用ボス(２４)を、また前記交換用皿(４Ｅ)の底板(６)から、下端側に押圧受面(Ｒ)を有する係合突片(１２)を、垂直方向の反対向きに突設させ、
前記押圧面(Ｐ)及び押圧受面(Ｒ)を垂直方向から見て重なり合う位置に配置させたことを特徴とする、詰替え容器。
【請求項５】
少なくとも２個以上の本容器(４４)を積み重ねてなる多段容器であって、
各本容器(４４)は、それぞれ、底壁(４８)の周端部から外周壁(５６)を起立させた容器体(４６)と、この容器体(４６)内に嵌合された有底筒状の内容物収納皿(４Ｆ)とを有し、
下側の本容器(４４)と上側の本容器(４４)とが、下側の本容器(４４)の内容物収納皿(４Ｆ)を上側の本容器(４４)の下面から開放することが可能に連結されており、
前記容器体(４６)の底壁(４８)に底穴(５０)を開口するとともに、当該容器体(４６)内に嵌合された内容物収納皿(４Ｆ)の底板(６)から、前記底穴(５０)内へ突入する係合突片(１２)を垂設させ、この係合突片(１２)を、下方からの突き上げにより解離可能に前記底穴(５０)の穴周面(５２)に係止させたことを特徴とする、複数の本容器からなる多段容器。
【請求項６】
前記積み重ね状態の２以上の本容器(４４)の容器体(４６)の外周部分を縦方向の枢着軸(Ａ)で連結させ、この枢着軸(Ａ)を中心とする回転により、各本容器(４４)が他の本容器(４４)に対してスライドすることが可能に構成したことを特徴とする、請求項５に記載の多段容器。
【発明の詳細な説明】
【技術分野】
【０００１】
本発明は、本容器及び詰替え容器の組み合わせ、詰替え容器、並びに複数の本容器からなる多段容器に関する。
【背景技術】
【０００２】
詰替え式コンパクト容器として、内容物収納皿を嵌合させた有底筒状の容器体の底壁の一部を下方へ膨出するドーム状の弾性壁部とし、この弾性壁部を上方へ弾性反転させることで前記内容物収納皿を容器体から押し出すように構成したものが知られている（特許文献１）。
また２段容器として、上方から見て矩形の下側本容器及び上側本容器を上下方向に積み重ね、かつこれら両本容器の角部同士を縦向きの枢着軸で枢着させ、上側容器を水平方向への回転によりスライドさせ、前記下側本容器の開口部が上側本容器の下面から開放されるように構成したものが知られている（特許文献２）。
【先行技術文献】
【特許文献】
【０００３】
【特許文献１】特開平０８−５６７４５
【特許文献２】特開２０１８−１７１２３２
【発明の概要】
【発明が解決しようとする課題】
【０００４】
特許文献２では、下側本容器に化粧用パフを、また上側本容器に化粧料収納皿をそれぞれ収容した２段容器が図示されているが、市場のニーズにより、２つの本容器にそれぞれ消耗品（例えば化粧用クリーム及びパウダー）を収容させたい場合がある。
こうした場合には、使い切った内容物収納皿を簡単に付け替えできることが望ましく、そうでないと、例えば前述の化粧用クリーム及びパウダーの場合には、同じ色の組み合わせしかできない。
またどちらか一方の本容器を使い終わると、他方の本容器の中身が無駄になってしまう。
また特許文献１は、単一の容器に対する詰替え技術を開示しており、多段容器の各段の内容物収納皿を簡単に詰め替えることには言及していない。
【０００５】
本発明の第１の目的は、詰替え作業を容易に行うことができる本容器及び詰替え容器の組み合わせを提供することである。
本発明の第２の目的は、本容器の内容物収納皿を取り外すための治具と交換用皿とを組み込んだ詰替え容器を提供することである。
本発明の第３の目的は、詰替え作業が容易である本容器を積み上げてなる多段容器を提供することである。
【課題を解決するための手段】
【０００６】
第１の手段は、本容器及び本容器への内容物の詰替え作業のための詰替え容器の組み合わせであって、
前記本容器４４は、底壁４８の周端部から外周壁５６を起立させた容器体４６と、この容器体４６内に嵌合された有底筒状の内容物収納皿４Ｆとを有し、前記容器体４６の底壁４８に底穴５０を開口するとともに、当該容器体４６内に嵌合された内容物収納皿４Ｆの底板６から、前記底穴５０内へ突入する係合突片１２を垂設させ、この係合突片１２を、下方からの突き上げにより解離可能に前記底穴５０の穴周面５２に係止させており、
前記詰替え容器２は、前記内容物収納皿４Ｆと同一の構造を有する交換用皿４Ｅと、この交換用皿４Ｅの上面を塞ぐ蓋体１６とを有し、この蓋体１６の上面から前記底穴５０内へ挿入可能な押圧用ボス２４を立設した。
【０００７】
本手段は、図５（Ａ）に示すように、本容器４４及び詰替え容器２の組み合わせＣを提案している。
前記本容器４４は、底壁４８に底穴５０を開口させた容器体４６と、この容器体４６内に嵌合された内容物収納皿４Ｆとを有し、内容物収納皿４Ｆの底板６から垂設させた係合突片１２を前記底穴５０に突入させるとともに、この係合突片１２を、下側からの突き上げにより解離可能に底穴５０に係止させている。
前記詰替え容器２は、前記内容物収納皿と同一の構造を有する交換用皿４Ｅと、交換用皿４Ｅの開口面８ａを閉塞する蓋体１６とを有し、この蓋体１６から前記底穴５０内へ挿入可能な押圧用ボス２４を起立している。従ってこの押圧用ボス２４を前記底穴５０内へ挿入することにより、内容物収納皿４Ｆを容易に取り外し、交換用皿４Ｅと交換することができる。
【０００８】
第２の手段は、第１の手段を有し、かつ前記係合突片１２を、前記底穴５０の穴周面５２に沿うように内容物収納皿４Ｆの底板６に配置された複数の係止爪１２ａで形成するとともに、
これら係止爪１２ａの上部の側外面と底穴５０の穴周面５２とに相互にかみ合う抜止め突条１４、５４を設け、
前記押圧用ボス２４の上端部に、前記底穴５０への押圧用ボス２４の挿入により、前記複数の係止爪１２ａを内方へ押し込むことが可能な押圧面Ｐを有する。
【０００９】
本手段では、図１に示すように、前記係合突片１２を複数の係止爪１２ａで形成した。これら係止爪は、前記内容物収納皿４Ｆの底板６に前記底穴５０の穴周面５２に沿って配置されている。そして図５に示す如く、前記底穴５０へ前記押圧用ボス２４を挿入させたときに、それら係止爪１２ａが、前記押圧用ボス２４の上端部の押圧面Ｐによって内方へ押し込まれ、係止爪１２ａと底穴５０とに設けた抜止め突条１４、５４が解離する。従って簡単な操作で前記係止爪１２ａの係止状態を解除できる。
【００１０】
第３の手段は、第１の手段又は第２の手段を有し、かつ前記蓋体１６は、前記交換用皿４Ｅの開口面８ａを覆う蓋板１８を有し、この蓋板１８の上面から前記押圧用ボス２４を上方へ突設させ、かつ、前記蓋板１８の周縁の少なくとも1カ所から折曲げ線２８を介して下面に当接用垂片３４を有する摘み板部３２を側外方へ突設させ、
前記容器体４６は、前記外周壁５６の上部に被当接面Ｇを有しており、
前記当接用垂片３４は、前記内容物収納皿４Ｆに替えて前記容器体４６内に詰替え容器２の交換用皿４Ｅを嵌挿したときに、前記係合突片１２が前記被当接面Ｇに当接することにより、前記摘み板部３２を押し上げることが可能な垂下長を有する。
【００１１】
本手段では、図１（Ａ）に示す如く、蓋体１６の蓋板１８の周縁から折曲げ線２８を介して摘み板部３２を側外方へ突設させている。この摘み板部３２の下面には当接用垂片３４が形成されている。そして図６（Ｂ）に示す如く、前記容器体４６内に詰替え容器２の交換用皿４Ｅを嵌挿させると、前記当接用垂片３４の下端が前記容器体４６の外周壁５６の上部に形成された被当接面Ｇに当接して、摘み板部３２が押し上げられる。従って、この摘み板部３２を摘んで、前記蓋体１６を前記交換用皿４Ｅから取り外すことが容易である。
【００１２】
第４の手段は、内容物を収納させた有底筒状の交換用皿４Ｅと、この交換用皿４Ｅの開口面８ａを塞ぐ蓋体１６とを有する詰替え容器であって、
前記蓋体１６の上面から、上端側に押圧面Ｐを有する押圧用ボス２４を、また前記交換用皿４Ｅの底板６から、下端側に押圧受面Ｒを有する係合突片１２を、垂直方向の反対向きに突設させ、
前記押圧面Ｐ及び押圧受面Ｒを垂直方向から見て重なり合う位置に配置させた。
【００１３】
本手段は、図１（Ｂ）に示す如く、詰替え容器２の蓋体１６から押圧用ボス２４を、また前記交換用皿４Ｅの底板６から係合突片１２を、垂直方向の反対向きに突設させた構成を提案している。前記押圧用ボス２４は、上端側に押圧面Ｐを有しており、また前記係合突片１２は、下端側に押圧受面Ｒを有している。そして前記押圧面Ｐと図１（Ａ）に点線で示す押圧受面Ｒとが垂直方向から見て重なり合うように構成している。
この構成によれば、本容器４４の内容物収納皿を前記交換用皿４Ｅと交換する際に、当該交換用皿４Ｅとともに内容物収納皿の交換作業に用いる押圧用ボス２４を一つの詰替え容器２に組み込んでいるので、皿交換用の治具を別途用意する必要がなく便利である。
【００１４】
第５の手段は、少なくとも２個以上の本容器４４を積み重ねてなる多段容器であって、
各本容器４４は、それぞれ、底壁４８の周端部から外周壁５６を起立させた容器体４６と、この容器体４６内に嵌合された有底筒状の内容物収納皿４Ｆとを有し、
下側の本容器４４と上側の本容器４４とが、下側の本容器４４の内容物収納皿４Ｆを上側の本容器４４の下面から開放することが可能に連結されており、
前記容器体４６の底壁４８に底穴５０を開口するとともに、当該容器体４６内に嵌合された内容物収納皿４Ｆの底板６から、前記底穴５０内へ突入する係合突片１２を垂設させ、この係合突片１２を、下方からの突き上げにより解離可能に前記底穴５０の穴周面５２に係止させた。
【００１５】
本手段は、図３に示す如く、２個以上の本容器４４を積み上げた多段容器４２を提案している。各本容器４４は、容器体４６内に内容物収納皿４Ｆを嵌合させてなる。
そして下側の本容器４４と上側の本容器４４とを、下側の本容器４４の内容物収納皿４Ｆが上側の本容器４４の下面から開放できるように連結させている（図４参照）。
また各容器体４６の底壁４８に底穴５０を開口するとともに、前記内容物収納皿４Ｆの底板６から係合突片１２を前記底穴５０内へ突入させ、その係合突片１２を治具などで突き上げることにより、容器体４６内に嵌合された内容物収納皿４Ｆを取り外すことができる（図５（Ａ）〜（Ｃ）参照）。
【００１６】
第６の手段は、第５の手段を有し、かつ
前記積み重ね状態の２以上の本容器４４の容器体４６の外周部分を縦方向の枢着軸Ａで連結させ、この枢着軸Ａを中心とする回転により、各本容器４４が他の本容器４４に対してスライドすることが可能に構成した。
【００１７】
本手段は、図３（Ａ）及び図４に示す如く、前記積み重ね状態の２以上の本容器４４の容器体４６の外周部分を縦方向の枢着軸Ａで連結させ、この枢着軸Ａを中心とする回転により、各本容器４４が他の本容器４４に対してスライドすることが可能に構成することを提案している。
この構成によれば、枢着軸回りの回転機構の組立作業と各本容器４４への内容物の充填作業とを別工程とすることができ、手間がかからない。
なお、多段容器を３段以上にしても、1段目の本容器と２段目の本容器との間、或いは２段目の本容器と３段目の本容器との間に、同じ回転スライド操作により、簡単に内容物の充填を行うことができる。
【発明の効果】
【００１８】
第１の手段に係る発明によれば、本容器及び詰替え容器の組み合わせにおいて、本容器４４の容器体４６の底穴５０に、内容物収納皿４Ｆの底板６から垂設した係合突片１２を突入させるとともに、この係合突片１２を、下側からの突き上げにより解離可能に底穴５０に係止させ、前記詰替え容器２の蓋体１６から前記底穴５０内へ挿入可能な押圧用ボス２４を起立したから、容易に内容物収納皿４Ｆを取り外して交換することができる。
第２の手段に係る発明によれば、内容物収納皿４Ｆの底板６に配置した複数の係止爪１２ａが、前記押圧用ボス２４での突き上げにより内方へ押し込まれることで、係止爪１２ａと底穴５０とに設けた抜止め突条１４、５４が解離するように設けたから、簡単な操作で係止爪１２ａの係止状態を解除できる。
第３の手段に係る発明によれば、蓋体１６の蓋板１８の周縁から折曲げ線２８を介して下面に当接用垂片３４を有する摘み板部３２を側外方へ突設させ、内容物収納皿４Ｆに替えて前記容器体４６内に詰替え容器２の交換用皿４Ｅを嵌挿したときに、前記当接用垂片３４が前記容器体４６の被当接面Ｇに当接することにより、前記摘み板部３２を押し上げるようにしたから、交換用皿４Ｅから蓋体１６を取り外すことが容易である。
第４の手段に係る発明によれば、交換用皿４Ｅと蓋体１６とで構成する詰替え容器２において、前記蓋体１６から、上端側に押圧面Ｐを有する押圧用ボス２４を、また前記交換用皿４Ｅの底板６から、下端側に押圧受面Ｒを有する係合突片１２を、垂直方向の反対向きに突設させたから、本容器４４の内容物収納皿４Ｆを外すための治具である押圧用ボス２４を詰替え容器２に組み込むことができ、便利である。
第５の手段に係る発明によれば、容器体４６内に内容物収納皿４Ｆを嵌合させた本容器４４を複数積み上げてなる多段容器において、下側の本容器４４と上側の本容器４４とを、下側の本容器４４の内容物収納皿４Ｆが上側の本容器４４の下面から開放できるように連結させ、かつ、各容器体４６の底壁４８に開口された底穴５０を介して前記係合突片１２を下側から突き上げ可能としたから、この突き上げ操作により、前記容器体４６内から前記内容物収納皿４Ｆを容易に取り外すことができる。
第６の手段に係る発明によれば、積み重ねた状態の２以上の本容器４４の容器体４６の外周部分を縦方向の枢着軸Ａで連結させ、この枢着軸Ａを中心とする回転により、各本容器４４が他の本容器４４に対してスライドすることが可能に構成したから、枢着軸回りの回転機構の組立作業と各本容器４４への内容物の充填作業とを別工程とすることができ、手間がかからない。
【図面の簡単な説明】
【００１９】
【図１】本発明の実施形態に係る詰替え容器の構成を示す図であり、同図（Ａ）は詰替え容器の平面図、同図（Ｂ）は詰替え容器の縦断面図である。
【図２】図１の容器の底面図である。
【図３】本発明の実施形態に係る複数の本容器からなる多段容器を示す図であり、同図（Ａ）は多段容器の平面図、同図（Ｂ）は多段容器の縦断面図である。
【図４】図３の多段容器の作用説明図であり、第１本容器に対して第２本容器を回転によりスライドさせた状態を示す図である。
【図５】本発明に係る本容器及び詰替え容器の組み合わせにおいて本容器の内容物収納皿を取り外す手順の説明図であり、  同図（Ａ）は、内容物収納皿の係合突片と詰替え容器の押圧用ボスとを向かい合わせた段階を、  同図（Ｂ）は前記係合突片を押圧用ボスで突き上げた段階を、  同図（Ｃ）は内容物収納皿を容器体から離脱させた段階を、それぞれ示している。
【図６】本発明に係る本容器（第１本容器）の容器体に詰替え容器の交換用皿を装着する手順の説明図であり、  同図（Ａ）は、詰替え容器の交換用皿を容器体の開口部に向かい合わせた段階を、  同図（Ｂ）は前記交換用皿を前記容器体内へ嵌挿する途中の段階を、  同図（Ｃ）は前記交換用皿が容器体内へ嵌合された段階を、それぞれ示している。
【図７】本発明に係る他の本容器（第２本容器）の容器体に詰替え容器の交換用皿を装着する手順の説明図である。
【発明を実施するための最良の形態】
【００２０】
以下、図面に従って、本発明の詰替え容器２、複数の本容器４４からなる多段容器４２、及びこれらの組み合わせについて説明する。本発明は、本容器４４及び詰替え容器２の組み合わせＣに対して適用できるが、本実施形態では、主として多段容器４２及び詰替え容器２の組み合わせに関して解説する。
図１及び図２は、本発明の実施形態に係る詰替え容器２を示している。
詰替え容器２は、交換用皿４Ｅと、蓋体１６とで構成されている。これら各部材は、例えば合成樹脂材で形成することができる。
【００２１】
前記交換用皿４Ｅは、図１（Ｂ）に示す如く、底板６の周端部から筒周壁８を起立させた有底筒状であり、その筒周壁８の上端に鍔部１０が付設されている。本実施形態において、前記筒周壁８は円筒形であり、また鍔部１０は、図１（Ａ）に示す如く、円形の輪郭を有する。もっともこれらの形状は適宜変更することができる。なお、前記交換用皿４Ｅには、内容物が充填されているが、内容物の作図は省略する。
また前記底板６の中央部からは、係合突片１２が下方へ突設されている。図示例の係合突片１２は、図２に示す如く、ほぼ同一形状の複数（図示例では４個）の係止爪１２ａからなる。これら係止爪１２ａは、後述の容器体４６の底穴５０へ挿入させるための部位であり、相互に間隔をあけて内方への弾性変形が可能に形成されている。前記係止爪１２ａは、下端部外面に押圧受面Ｒを有し、かつ側外面の上部に皿側抜止め突条１４を有する。この皿側抜止め突条１４は、後述の底穴５０の容器側抜止め突条５４と係合させるための部位である。
ここで前記係合突片１２は、例えば皿側抜止め突条１４付きの筒体として構成することもできるが、この構成に比べて、複数の係止爪１２ａとした方が変形させ易く、抜止め突条同士の係合をより小さな力で解除させることができる。
【００２２】
前記蓋体１６は、前記筒周壁８の開口面８ａを覆う蓋板１８を有し、この蓋板の下面外周部からシール筒部２０を垂設させている。このシール筒部２０は、前記筒周壁８の内面上端部に密嵌されている。
図示例では、前記蓋板１８の外周部に比べて残りの蓋板部分を高く隆起させた隆起部２２としている。
また前記蓋板１８の中心部からは、押圧用ボス２４を起立している。図示例の押圧用ボス２４は、前記蓋板１８の中心部を有頂筒状に隆起させて、ボス周壁２４ａの上端を頂壁２４ｂで閉塞させた形状とするとともに、この頂壁２４ｂの外周からリング状係合部２４ｃを上方へ突設させている。このリング状係合部２４ｃの内周面は、テーパ状の押圧面Ｐに形成している。
前記押圧用ボス２４は、図５に示す如く、後述の本容器４４の容器体４６内に収納された内容物収納皿４Ｆを下から突き上げ、取り外すための治具である。
また前記蓋体１６には、前記蓋板１８の周端部の複数箇所（図示例では４か所）から側外方へ摘み部３０を突出するとともに、各摘み部３０の間に、上方から見て内側に浅くくぼむ凹欠部２６が形成されている。
図示例の摘み部３０は、前記蓋板１８の周端部から、図１に示す如く、折曲げ線２８を根元側に有する摘み板部３２を突設するとともに、この摘み板部３２から、同図に点線で示すように、上方から見て円弧状の当接用垂片３４を垂下している。
前記折曲げ線２８は、前記摘み部３０の回転軸として前記摘み板部３２の突出方向と直交する方向に直線的に形成する。図示例の折曲げ線２８は、前記摘み板部３２の上面側に凹設された浅い凹溝として形成されている。
前記当接用垂片３４の機能は、詰替え容器２の交換用皿４Ｅを後述の本容器４４の容器体４６内へ嵌合させたときに、後述の被当接面Ｇに当接して前記摘み板部３２を押し上げることである。前記当接用垂片３４の垂下長は、前記機能を担保できるように設計する。
また前記当接用垂片３４の内面には、前記鍔部１０より下側に位置させて、この鍔部１０の抜止めのための抜止め用凸部３６を付設している。
図示例では、図１（Ｂ）に示す状態で、前記抜止め用凸部３６を、前記鍔部１０下面から離して設けている。
こうすることで、図６（Ａ）から図６（Ｂ）に示すように、前記折曲げ線２８を中心として前記摘み部３０が回転して押し上げられるときに、前記抜止め用凸部３６が前記鍔部１０の下面に当たって前記摘み部３０の回転を妨げることがないようにしている。
また図示例では、前記摘み板部３２を、前記当接用垂片３４よりも側外方へ延設している。また図示例では、図１（Ａ）に示す４つの摘み部３０のうちで同図左側の摘み部３０Ｂについては、残りの摘み部３０Ａに比べて、前記摘み板部３２を側外方へ長く設け、その摘み板部３２の先端部下面に指掛部３８を付設している。
【００２３】
図３及び図４は、本発明の実施形態である多段容器４２を示している。
多段容器４２は、複数の本容器４４を縦方向に積み重ねている。これら本容器は例えば合成樹脂で形成することができる。
本実施形態では、第１本容器４４Ａの上に第２本容器４４Ｂを積み重ねた２段容器としているが、３段以上の段数としても構わない。
さらに図示例では、多段容器４２は、図３（Ｂ）に示す如く、第１本容器４４Ａ及び第２本容器４４Ｂと、補助キャップ６０と、下側カバー７０と、上側カバー７２とで形成している。
本実施形態においては、前記第２本容器４４Ｂは密閉性を要するクリーム容器であり、前記補助キャップ６０で密閉させている。
他方、前記第１本容器４４Ａは、密閉性を必要としないパウダー容器であり、後述の枢着軸Ａにより、前記第２本容器４４Ｂと連結され、この第２本容器４４Ｂが前記第１本容器４４Ａの上面を覆う蓋の役目をしている。
もっともこれらの構造は適宜変更することができる。
【００２４】
説明の都合上、まず第１本容器４４Ａ及び第２本容器４４Ｂの共通事項を説明する。
各本容器４４は、図１（Ｂ）に示す如く、容器体４６と内容物収納皿４Ｆとで形成されている。
前記容器体４６は、底壁４８の周端部から外周壁５６を起立しており、図示例において低背かつ広口の構造を有する。前記外周壁５６の上端側に前記当接用垂片３４の下端と当接する被当接面Ｇが形成されている。
また図示例では、前記容器体４６の平面形状を、矩形（正方形）としている。
前記底壁４８の中心部には、底穴５０が開口されている。この底穴５０の穴周面５２の上端部には、容器側抜止め突条５４を周設している。また前記底穴５０の周囲には下方へ突出するリム４９が形成されている。
前記容器体４６内には、前記内容物収納皿４Ｆが嵌合されている。この内容物収納皿４Ｆは、既述交換用皿４Ｅと基本的に同じ構造を有するものとするとよい。この明細書では、説明の便宜上、新たな交換用皿４Ｅが容器体４６内に組み込まれるまでは、内容物収納皿４Ｆと交換用皿４Ｅとを区別して解説する。前記交換用皿４Ｅについて記載した説明は、前記内容物収納皿４Ｆに援用する。
そして内容物収納皿４Ｆの底板６から垂下する係合突片１２を前記底穴５０内へ突入させている。
図示例では、図３（Ａ）に点線で示すように、前記係合突片１２を構成する４本の係止爪１２ａが、それぞれ前記底穴５０の穴周面５２に沿って配置されている。
そして各係止爪１２ａが有する皿側抜止め突条１４が、前記容器側抜止め突条５４の下面側に係止されている。
また各係止爪１２ａの下端部と前記穴周面５２との間には隙間ｇが形成されている。
【００２５】
本実施形態において、前記第１本容器４４Ａの容器体である第１容器体４６Ａは、前記底壁４８の周端部から、肉厚の外周壁５６を起立している。
前記第１容器体４６Ａの外周壁を、第１外周壁５６Ａというものとする。
前記第１外周壁５６Ａは、本実施形態において、円筒形の内周面とほぼ四角筒形の外周面を有する。そして、この外周面のうち前記四角筒の角以外の場所に、肉抜き用の空洞部Ｖ１を形成している。図示の空洞部Ｖ１の上端は庇状の閉塞部５６ａで閉塞されている。
図示例において、前記閉塞部５６ａは、前記第１外周壁５６Ａの上端面と比べて段差Ｓを介して高く形成されている。この段差Ｓには前記鍔部１０の周端が嵌め込まれている。
前記第１外周壁５６Ａの上端面の一部（図示例では前記閉塞部５６ａの上方部分）には第１被当接面Ｇ１を設ける。
この第１被当接面Ｇ１の断面形状は、図３（Ｂ）に示す如く、下方へ弓状にくぼむ形状である。
この第１被当接面Ｇ１には、前記内容物収納皿４Ｆを交換用皿４Ｅに交換する際に、前記詰替え容器２の当接用垂片３４下端が当接する。これについては後述する。
本実施形態では、前記第１本容器４４Ａは密閉性を要しないものとしているので、前記第１容器体４６Ａの開口部は、第２本容器４４Ｂの下面によって覆われているだけで、閉塞されていない。もっとも密閉性を要する場合には、例えば図５（Ａ）に想像線で示すシール蓋Ｌで剥離可能に密閉すれば良い。
前記第２本容器４４Ｂの容器体である第２容器体４６Ｂは、前記第１本容器４４Ａの上面を覆う蓋としての役割を兼ねる。
前記第２容器体４６Ｂは、底壁４８の周端部から起立する円筒形の外周壁（第２外周壁５６Ｂという）を有する。
但し、この第２外周壁５６Ｂは、図３（Ｂ）に示す通り、前記第１外周壁５６Ａよりも小径に形成されている。前記第２外周壁５６Ｂの外側に、後述の補助キャップ６０のキャップ周壁６４を装着するスペースを確保するためである。
前記第２外周壁５６Ｂの外面には、容器側ネジ部５６ｂが形成されている。
また前記第２外周壁５６Ｂの上端部外面には、上方に向かって縮径するテーパ形状の第２当接面Ｇ２が形成されている。
また第２容器体４６Ｂの底壁４８の周端部からは、矩形の輪郭を有する延長壁部４８ａを側外方へ延出している。この延長壁部４８ａの輪郭は、第１本容器を上方からみたときの輪郭とほぼ一致する。
そして図３（Ａ）に点線で示す、前記延長壁部４８ａの一つの角部４８ｃと、前記第１外周壁５６Ａの対応箇所とを、枢着軸Ａで枢着している。
この枢着軸Ａは、前記延長壁部４８ａ及び前記第１外周壁５６Ａの上端面の一方から垂直に突出する軸棒を、他方に形成した軸穴に回転可能に嵌着すれば良い。
この枢着軸Ａを中心として、第２本容器４４Ｂを、前記第１本容器４４Ａの真上にある位置から、図４（Ａ）に示すように、第１本容器４４Ａの上面の大半が開放される位置へ、回転させ、スライドさせることができる。
前記第２外周壁５６Ｂの下端部外面と前記延長壁部４８ａの上面の間に亘って、回り止め板部４８ｂが形成されている。
【００２６】
前記補助キャップ６０は、頂板６１の裏面からシール周壁６２を、また前記頂板６１の周端部からキャップ周壁６４を、同心状に垂設している。
前記シール周壁６２は、前記第２本容器４４Ｂの内容物収納皿４Ｆの開口部内に密嵌されている。
また前記キャップ周壁６４は、前記第２外周壁５６Ｂに嵌合されている。
本実施形態のキャップ周壁６４は、第１外周壁５６Ａと同様に、円筒形の内周面とほぼ四角筒形の外周面とを有する。
そして、この外周面のうち前記四角筒の角以外の場所において、前記キャップ周壁６４の上半部を肉抜きして、空洞部Ｖ２を形成している。またキャップ周壁６４の上半部の内面には、前記容器側ネジ部５６ｂとかみ合うキャップ側ネジ部６５が形成されている。
さらに前記キャップ周壁６４の下端部の内側を環状に切り欠き、この切欠き箇所に、回り止め受板部６６を形成している。この回り止め受板部６６は、前記回り止め板部４８ｂと当接可能に形成されている。
【００２７】
前記下側カバー７０及び前記上側カバー７２は、装飾部材であり、例えば金冠として付設されている。これら下側カバー７０及び前記上側カバー７２は省略してもよい。
前記下側カバー７０は、前記第１本容器４４Ａの底壁４８及び第１外周壁５６Ａを覆う有底筒状の形状に形成されている。
前記上側カバー７２は、前記補助キャップ６０の頂板６１及びキャップ周壁６４を覆う有頂筒状の形状に形成されている。
【００２８】
上記構成において、前記多段容器４２のうちで第１本容器４４Ａの内容物収納皿４Ｆを交換するときには、図４に示すように、第１本容器の蓋を兼ねる第２本容器４４Ｂを、前記枢着軸Ａを中心として回転させ、第１本容器４４Ａの上面を開放する。
次に図５（Ａ）に示すように、前記詰替え容器２の押圧用ボス２４を、第１容器体４６Ａの底穴５０に向かい合わせ、この底穴５０の穴周面５２及び係止爪１２ａの隙間ｇに前記押圧用ボス２４のリング状係合部２４ｃを挿入する。
なお、図５では、説明の簡単のため、第２本容器４４Ｂの作図を省略している。
そして、図５（Ｂ）に示す如く、前記リング状係合部２４ｃの内側の押圧面Ｐで前記係止爪１２ａの下端部外面の押圧受面Ｒを押圧すると、同図に想像線で示すように、前記係止爪１２ａは内側へ屈曲し、容器側抜止め突条５４及び皿側抜止め突条１４が分離する。
そして、図５（Ｃ）に示す如く、押圧用ボス２４をさらに突き上げると、前記内容物収納皿４Ｆが第１容器体４６Ａから離脱する。
次に、図６（Ａ）に示す如く、前記詰替え容器２の交換用皿４Ｅを、前記第１容器体４６Ａの開口部に向かい合わせる。
そして、図６（Ｂ）に示す如く、前記交換用皿４Ｅを前記第２容器体内へ挿入する。そうすると交換用皿４Ｅの係止爪１２ａも前記第１容器体４６Ａの底穴５０内に挿入される。
これとともに、前記摘み部３０の当接用垂片３４の下端が、前記第１容器体４６Ａの第１被当接面Ｇ１に衝突し、この第１被当接面Ｇ１の下向き弓状に輪郭に沿って外方へ摺動することにより、前記摘み部３０が前記折曲げ線２８を中心として回転して、前記摘み板部３２が押し上げられる。
さらに、図６（Ｃ）に示すように、詰替え容器２を押し下げると、前記係止爪１２ａの容器側抜止め突条５４が前記底穴５０の皿側抜止め突条１４を乗り越えてこの皿側抜止め突条の下面に係止する。
これにより、前記交換用皿４Ｅが前記第１容器体４６Ａ内でロックされる。
また前記摘み部３０がさらに回転して前記摘み板部３２がより押し上げられる。
これら摘み板部３２に指をかけて、前記交換用皿４Ｅから前記蓋体１６を引き離すことができる。
これにより、第１容器体４６Ａ内に組み込まれた交換用皿を新たな内容物収納皿４Ｆとして使用することができる。
【００２９】
前記多段容器４２のうちで第２本容器４４Ｂの内容物収納皿４Ｆを交換するときには、まず上側カバー７２とともに前記補助キャップ６０を回して、前記第２外周壁５６Ｂから螺脱させる。
そして前記枢着軸Ａを中心として前記第２本容器４４Ｂを回転させて、その下面を第１本容器４４Ａから開放させる。
次に、前記詰替え容器２の押圧用ボス２４を用いて、前記内容物収納皿４Ｆを突き上げ、前記第２容器体４６Ｂから前記内容物収納皿４Ｆを取り外す。
そして図７に示すように、前記第２容器体４６Ｂ内に詰替え容器２の交換用皿４Ｅを挿入する。
これにより、前記折曲げ線２８を中心として前記摘み部３０が回転し、前記摘み板部３２が押し上げられる。この摘み板部３２を摘んで、前記交換用皿４Ｅから前記蓋体１６を取り外すことができる。
【００３０】
本発明によれば、次の利点がある。
（１）第１本容器４４Ａ及び第２本容器４４Ｂのそれぞれに対して交換用皿４Ｅを簡単に付け替えることができる。
従って、例えば化粧に用いるクリーム及びパウダーのように、相互に密接な使用関係にある異種の内容物を、第１本容器４４Ａ及び第２本容器４４Ｂに収納して、相乗的な効果（異なる色の組み合わせをすることができるなど）を高めるとともに、どちらかの一方の本容器を使い終わっても、他方の本容器内の内容物が無駄になることがない。
（２）製造時においても、前記交換用皿４Ｅの交換と同じように、第１本容器４４Ａに対して第２本容器４４Ｂを回転スライド操作することにより、前記内容物収納皿４Ｆを、前記第１容器体４６Ａ及び前記第２容器体４６Ｂに組み付けることができる。
従って、例えば前記第１容器体４６Ａ及び前記第２容器体４６Ｂ内にそれぞれ内容物収納皿４Ｆを嵌合させ、各皿に内容物を充填し、多段容器４２として組み立てるという製造工程に比べれば、手間がかからない。
（３）前記第１本容器４４Ａ及び前記第２本容器４４Ｂともに、前記内容物収納皿４Ｆを容易に着脱できるため、内容物の用途に応じて内容物収納皿を入れ替えることで、内容物の組み合わせのレパートリーが増え、利便性が高まる。
また店頭で消費者の要望での組み合わせを変えて、販売することができる。
【符号の説明】
【００３１】
２…詰替え容器  ４Ｅ…交換用皿（４Ｆ…内容物収納皿）  ６…底板
８…筒周壁  ８ａ…開口面
１０…鍔部  １２…係合突片  １２ａ…係止爪  １４…皿側抜止め突条
１６…蓋体  １８…蓋板  ２０…シール筒部  ２２…隆起部  ２４…押圧用ボス
２４ａ…ボス周壁  ２４ｂ…頂壁  ２４ｃ…リング状係合部  
２６…凹欠部  ２８…折曲げ線
３０、３０Ａ、３０Ｂ…摘み部  ３２…摘み板部  ３４…当接用垂片
３６…抜止め用凸部  ３８…指掛け部  
４２…多段容器  ４４…本容器  ４４Ａ…第１本容器  ４４Ｂ…第２本容器
４６…容器体  ４６Ａ…第１容器体  ４６Ｂ…第２容器体  
４８…底壁  ４８ａ…延長壁部  ４８ｂ…回り止め板部  ４８ｃ…角部
４９…リム
５０…底穴  ５２…穴周面  ５４…容器側抜止め突条
５６…外周壁  ５６Ａ…第１外周壁  ５６Ｂ…第２外周壁  ５６ａ…閉塞部
５６ｂ…容器側ネジ部
６０…補助キャップ  ６１…頂板  ６２…シール周壁  ６４…キャップ周壁  
６５…キャップ側ネジ部  ６６…回り止め受板部
７０…下側カバー  ７１…通過孔  ７２…上側カバー
Ａ…枢着軸  Ｃ…本容器及び詰替え容器の組み合わせ  
Ｇ…被当接面  Ｇ１…第１被当接面  Ｇ２…第２被当接面  ｇ…隙間  
Ｌ…シール蓋  Ｐ…押圧面  Ｒ…押圧受面  Ｓ…段差  Ｖ１、Ｖ２…空洞部
【図１】
2020103739.tif 000003
【図２】
2020103739.tif 000004
【図３】
2020103739.tif 000005
【図４】
2020103739.tif 000006
【図５】
2020103739.tif 000007
【図６】
2020103739.tif 000008
【図７】
2020103739.tif 000009